(57)【要約】  【課題】  誘導加熱と高周波加熱とを択一的に実行する複合加熱調理装置において、駆動電源のインバータ回路のスイッチング素子や制御回路を共用化しつつ、いずれの加熱時にも入力電流の歪みを軽減して高調波ノイズを抑制する。  【解決手段】制御切換え部３５はスイッチ３４を高周波加熱モードでｂ側に接続し、誘導加熱モードではａ側に接続する。高周波加熱モードでは、オン時間補正処理部３３が直流入力電圧の位相に応じてオン時間の補正値を決め、出力制御部３６で出力設定値に応じて決められたオン時間を補正してオン時間を決定する。誘導加熱モードでは、直流入力電圧とは無関係に、出力制御部３６で出力設定値に応じて決められたオン時間がそのまま採用される。それにより、非線形性を有する負荷であるマグネトロン６と線形性を有する負荷である誘導加熱コイル５のいずれに電流を供給する場合にも、入力電流の歪みを軽減できる。【選択図】  図３
2006179271.tif 000002
【特許請求の範囲】
【請求項１】
食品が収容された容器を誘導加熱する誘導加熱コイルと、
前記食品を高周波加熱するマイクロ波を発生するマグネトロンと、
昇圧した電圧を前記マグネトロンに供給する昇圧トランスと、
前記誘導加熱コイル又は前記昇圧トランスの１次巻線を含み、商用交流電力から高周波電力を発生するインバータ回路と、
該インバータ回路の構成要素であってオン時間を制御することにより該インバータ回路の出力を制御するためのスイッチング素子と、
該スイッチング素子のオン／オフ動作を行うスイッチング素子駆動手段と、
予め設定された出力設定値に従って前記スイッチング素子のオン時間を決定して前記スイッチング素子駆動手段を駆動させる出力制御手段と、
前記昇圧トランスの１次巻線と前記スイッチング素子とを含み前記高周波加熱が可能なインバータ回路を形成する、又は前記誘導加熱コイルと前記スイッチング素子とを含み前記誘導加熱が可能なインバータ回路を形成するように接続を切り換える切換え手段と、
前記インバータ回路への入力電圧を検出する検出手段と、
該検出手段により検出された入力電圧に応じて前記出力制御手段で決定されたオン時間を補正するオン時間補正手段と、
を備え、前記切換え手段により高周波加熱が可能なインバータ回路を形成するように接続された場合には、前記スイッチング素子駆動手段は、前記オン時間補正手段で補正されたオン時間で以て前記スイッチング素子を駆動し、他方、前記切換え手段により誘導加熱が可能なインバータ回路を形成するように接続された場合には、前記スイッチング素子駆動手段は、前記出力制御手段で決定されたオン時間で以て前記スイッチング素子を駆動することを特徴とする複合加熱調理装置。
【請求項２】
前記オン時間補正手段は、前記検出手段により検出された入力電圧がゼロ電圧付近であるときに、前記マグネトロンによるマイクロ波の発生が維持できるように前記出力制御手段で決定されたオン時間よりも長い時間とするべくオン時間を補正することを特徴とする請求項１に記載の複合加熱調理装置。
【請求項３】
食品が収容された前記容器を収納する略密閉された加熱室と、
前記マグネトロンで発生したマイクロ波を前記加熱室に導く導波管と、
前記加熱室の底板の一部に配設され、前記誘導加熱コイルで発生した磁束を通過させる一方、前記加熱室内のマイクロ波の通過を阻止する磁束通過部材と、
をさらに備え、前記誘導加熱コイルを前記磁束通過部材の下方に配置することを特徴とする請求項１又は２に記載の複合加熱調理装置。
【発明の詳細な説明】
【技術分野】
【０００１】
本発明は、高周波加熱部と誘導加熱部とを併せ持つ複合加熱調理装置に関し、更に詳しくは、高周波加熱部と誘導加熱部とを択一的に駆動する駆動回路に関する。
【背景技術】
【０００２】
電子レンジはマイクロ波により食品を直接高周波加熱するため、温め加熱などの高速調理には非常に効果を発揮するものの、食品に焦げ目を付けることができず、焦げ目付け調理には不向きであった。一方、誘導加熱調理器は誘導加熱により磁性金属製の鍋などを加熱して調理を行うため、焦げ目付け調理や煮炊き調理などに最適である。そこで、こうした高周波加熱による加熱調理の欠点を補うために、誘導加熱調理を併用した複合加熱調理装置が従来より知られている（例えば特許文献１など参照）。
【０００３】
こうした複合加熱調理装置において、高周波加熱部の加熱源であるマグネトロンと誘導加熱部の加熱源である誘導加熱コイルとを択一的に駆動させるために、インバータ回路による駆動電源を共通化した装置が特許文献２に開示されている。図６はこの従来技術による駆動電源回路を概略的に示す図である。
【０００４】
商用交流電源４０による低周波交流電力は整流部４１で直流電力に変換されて平滑部４２で平滑化される。これにより得られた直流電力を高周波電力に変換するためのインバータ回路４４はスイッチング素子４４ａや共振用コンデンサを含み、誘導加熱と高周波加熱とに共通に利用される。誘導加熱の際には切換えスイッチ４３がａ側に接続され、誘導加熱コイル５を負荷としたインバータ回路４４が形成され、スイッチング素子４４ａのオン／オフ制御によりインバータ回路４４の動作を制御することで、誘導加熱コイル５に流れる電流を調節する。一方、高周波加熱の際には切換えスイッチ４３がｂ側に接続され、昇圧トランス４５の１次巻線を負荷としたインバータ回路４４が形成され、スイッチング素子４４ａのオン／オフ制御によりインバータ回路４４の動作を制御することで、高電圧整流回路４６を通してマグネトロン６に供給される電流を調節する。
【０００５】
こうした駆動電源回路の負荷となるマグネトロン６と誘導加熱コイル５とではその負荷特性が大きく相違する。即ち、誘導加熱コイル５は殆ど線形素子であるとみなすことができるのに対し、マグネトロン６は非線形素子であって一般に約−４ｋＶ以上の高電圧を印加しないと発振せず電流が流れない。そのため、高周波加熱を行う際に例えば図７（ａ）に示すような直流電圧が入力されたとき、その電圧が低い期間には昇圧トランスの２次巻線の両端電圧をマグネトロン６を発振させ得る電圧まで昇圧することができない。その結果、昇圧できない期間に入力電圧が流れず、マグネトロン６に供給される入力電流波形は図７（ｂ）に示すように歪んだものとなる。それによって、入力電流波形に高調波成分が増大し、高調波ノイズを周囲に放出する大きな原因となる。
【０００６】
通常の電子レンジでは、上記のような不具合を解消するために、例えば入力直流電圧をモニタし、その電圧が低い期間ではスイッチング素子のオン時間を長くするように調整することにより昇圧トランスの１次巻線の両端電圧を上昇させ、その２次巻線側でマグネトロンの発振に十分な両端電圧が発生するように制御している（例えば特許文献３など参照）。ところが、誘導加熱の場合、こうした制御を行うと逆に入力電流波形が図７（ｃ）に示すように台形状に歪んでしまい、却って高調波電流成分が増加してしまうという問題がある。
【０００７】
【特許文献１】実開昭５５−１６９０９９号公報
【特許文献２】実開昭５６−２５４９７号公報
【特許文献３】特開昭５７−９６４９０号公報
【発明の開示】
【発明が解決しようとする課題】
【０００８】
本発明は上記課題に鑑みて成されたものであり、その目的とするところは、高周波加熱、誘導加熱のいずれの場合でも入力電流波形の歪みを軽減して高調波ノイズの発生を抑制することができる駆動電源回路を備える複合加熱調理装置を提供することにある。
【課題を解決するための手段】
【０００９】
上記課題を解決するために成された本発明に係る複合加熱調理装置は、
食品が収容された容器を誘導加熱する誘導加熱コイルと、
前記食品を高周波加熱するマイクロ波を発生するマグネトロンと、
昇圧した電圧を前記マグネトロンに供給する昇圧トランスと、
前記誘導加熱コイル又は前記昇圧トランスの１次巻線を含み、商用交流電力から高周波電力を発生するインバータ回路と、
該インバータ回路の構成要素であってオン時間を制御することにより該インバータ回路の出力を制御するためのスイッチング素子と、
該スイッチング素子のオン／オフ動作を行うスイッチング素子駆動手段と、
予め設定された出力設定値に従って前記スイッチング素子のオン時間を決定して前記スイッチング素子駆動手段を駆動させる出力制御手段と、
前記昇圧トランスの１次巻線と前記スイッチング素子とを含み前記高周波加熱が可能なインバータ回路を形成する、又は前記誘導加熱コイルと前記スイッチング素子とを含み前記誘導加熱が可能なインバータ回路を形成するように接続を切り換える切換え手段と、
前記インバータ回路への入力電圧を検出する検出手段と、
該検出手段により検出された入力電圧に応じて前記出力制御手段で決定されたオン時間を補正するオン時間補正手段と、
を備え、前記切換え手段により高周波加熱が可能なインバータ回路を形成するように接続された場合には、前記スイッチング素子駆動手段は、前記オン時間補正手段で補正されたオン時間で以て前記スイッチング素子を駆動し、他方、前記切換え手段により誘導加熱が可能なインバータ回路を形成するように接続された場合には、前記スイッチング素子駆動手段は、前記出力制御手段で決定されたオン時間で以て前記スイッチング素子を駆動することを特徴としている。
【発明の効果】
【００１０】
本発明に係る複合加熱調理装置において、高周波加熱が選択された場合つまり非線形性を有する負荷であるマグネトロンの発振が選択された場合、出力制御手段は予め設定された出力設定値に従ってスイッチング素子のオン時間を決定するが、オン時間補正手段は検出手段により検出された入力電圧に応じて出力制御手段により決定されたオン時間の長さを補正する。具体的には、検出手段により検出された入力電圧がゼロ電圧付近であるときに、マグネトロンによるマイクロ波の発生が維持できるように出力制御手段で決定されたオン時間よりも長い時間とするべくオン時間を補正する。そして、スイッチング素子駆動手段は、この補正されたオン時間で以てスイッチング素子のオン／オフ動作を行わせる。
【００１１】
スイッチング素子のオン時間が相対的に長くなると、このスイッチング素子及び昇圧トランスの１次巻線を含むインバータ回路において該１次巻線に蓄積されるエネルギーが増大するから、入力電圧がゼロ電圧付近である期間でも昇圧トランスの２次巻線側でマグネトロンの発振に十分な電圧を確保することができる。それによって、入力電圧がゼロ電圧付近であるときにも入力電流が流れなくなることを回避して入力電流の歪みを軽減し、高調波ノイズの発生を抑制することができる。
【００１２】
一方、誘導加熱が選択された場合つまり線形性を有する負荷である誘導加熱コイルへの電流の供給が選択された場合、出力制御手段は予め設定された出力設定値に従ってスイッチング素子のオン時間を決定し、スイッチング素子駆動手段は、オン時間補正手段による補正のなされていないオン時間で以てスイッチング素子のオン／オフ動作を行わせる。したがって、誘導加熱時のスイッチング素子のオン時間は入力電圧の電圧値には全く依存しないため、入力電圧がゼロ電圧付近である期間であるにも拘わらず入力電流が増大するような歪みを軽減し、高調波ノイズの発生を抑制することができる。
【００１３】
このように本発明に係る複合加熱調理装置によれば、高周波加熱と誘導加熱とを択一的に行うための駆動電源回路にあって、インバータ回路の主要な構成要素であるスイッチング素子やその制御回路を共用化しつつ、高周波加熱、誘導加熱のいずれを行う場合でも、その負荷特性の相違に起因する入力電流波形の歪みを改善し、高調波ノイズが周囲に放出されることを防止することができる。
【００１４】
また、本発明に係る複合加熱調理装置の一実施態様として、
食品が収容された前記容器を収納する略密閉された加熱室と、
前記マグネトロンで発生したマイクロ波を前記加熱室に導く導波管と、
前記加熱室の底板の一部に配設され、前記誘導加熱コイルで発生した磁束を通過させる一方、前記加熱室内のマイクロ波の通過を阻止する磁束通過部材と、
をさらに備え、前記誘導加熱コイルを前記磁束通過部材の下方に配置する構成とすることができる。
【００１５】
この構成によれば、加熱室に導入されたマイクロ波は磁束通過部材で遮られるので誘導加熱コイルに影響を与えずに容器内の食品を良好に加熱することができ、一方、誘導加熱コイルから発生する磁束は磁束通過部材を通過して容器に作用して該容器、ひいては内部の食品を良好に加熱することができる。したがって、高周波加熱、誘導加熱のいずれを行う場合でも、加熱室内に収納された容器内の食品を良好に加熱して、適切な調理を行うことができる。
【発明を実施するための最良の形態】
【００１６】
以下、本発明に係る複合加熱調理装置の一実施例を図面を参照して説明する。図１は本実施例の複合加熱調理装置の外観斜視図、図２は概略側面縦断面図である。
【００１７】
この複合加熱調理装置１は前面が傾斜した箱形状の筐体２を有する。筐体２内部には加熱室３が形成されており、加熱室３の前面開口は手前下方に回動自在の扉体４で開閉される。加熱室３の前面開口の上部には、複数の操作キーが配置されたキー入力部３９１とセグメントＬＣＤなどによる表示部３９２とを有する操作部３９が設けられており、ユーザーはキー入力部３９１で各種の加熱調理条件や運転開始・停止などを指示し、表示部３９２にはそうした加熱調理条件や運転残り時間などが表示されるようになっている。
【００１８】
加熱室３の底板３０１の略中央には、所定径の小孔が多数形成されたパンチング板３０２がその周囲よりも一段低く窪んで一体に形成されている。このパンチング板３０２の板厚はその周囲の底板３０１の板厚よりも薄く、その上部に設けられたセラミック製の載置台３０３と下部に設けられた断熱材３０５とで挟まれることで保持されている。この断熱材３０５の下方には、誘導加熱部の一部である誘導加熱コイル５が配設されている。パンチング板３０２は本発明における磁束通過部材に相当し、誘導加熱コイル５により発生する磁束を通過させる一方、後述するように加熱室３に供給されるマイクロ波の通過は阻止する機能を有する。このような磁束の通過及びマイクロ波の遮断の条件は、パンチング板３０２の小孔の孔径と板厚とによって決まり、板厚が薄い条件の下では必ずしも小孔が形成されていなくてもよい。また、パンチング板３０２は底板３０１と一体の部材ではなく、底板３０１とは別部材であってスポット溶接等により接合されていてもよい。
【００１９】
誘導加熱コイル５に電流が流されると磁束が発生し、パンチング板３０２及び載置台３０３を通過して加熱室３内に侵入する。その誘導作用により、載置台３０３上に載置された少なくとも底面が磁性金属で形成された容器９の底部に渦電流を誘起させ、ジュール熱により該容器９を加熱し、その容器９内に収容されている食品を加熱する。このとき、容器９の熱は断熱材３０５により遮断されるため、誘導加熱コイル５やその下方に伝導することが回避される。加熱室３の背部には高周波加熱部の一部であるマグネトロン６が配設され、該マグネトロン６で発生するマイクロ波を案内する導波管７が加熱室３の背部から上部に掛けて配設されている。マグネトロン６が駆動されると、発生したマイクロ波は導波管７内を通り加熱室３の天面から下方に向けて放出され、容器９内の食品を高周波加熱する。このときマイクロ波はパンチング板３０２を通過しないので、マイクロ波は食品に有効に作用し、誘導加熱コイル５を加熱してしまうことも回避できる。なお、マグネトロン６の下方には、後述する駆動電源を含む回路基板８が収容されている。
【００２０】
次に、本実施例の複合加熱調理装置における誘導加熱コイル５及びマグネトロン６の駆動電源回路について説明する。図３は駆動電源回路のブロック構成図、図４は誘導加熱時及び高周波加熱時のそれぞれで形成されるインバータ回路の構成を示す図、図５はこの駆動電源回路における制御動作を示すフローチャートである。
【００２１】
図３において、単相の商用交流電源１０より供給される交流電力はダイオードブリッジ整流回路１２で全波整流され、チョークコイル１３及び平滑コンデンサ１４から成る平滑回路によって平滑化される。この直流電力は電磁リレー等である切換えスイッチ１５により誘導加熱部又は高周波加熱部のいずれか一方に供給される。誘導加熱部は、誘導加熱コイル５と第１共振コンデンサ１６とが並列に接続されて成るＬＣ共振回路を有し、他方、高周波加熱部は、昇圧トランス２０の１次巻線２０１と第２共振コンデンサ１７とが並列に接続されて成るＬＣ共振回路を有する。両ＬＣ共振回路には、スイッチング素子１８とその逆方向に導通するダイオード１９との並列回路が直列に接続されており、これによりいずれの加熱部が選択された場合でも共振型インバータ回路が形成される（図４参照）。
【００２２】
このインバータ回路を駆動するスイッチング素子１８の制御入力端子（ベース端子）には、ＳＷ素子駆動部３８よりオン／オフ制御信号が入力されている。高周波加熱部を構成する昇圧トランス２０の２次巻線２０２、２０３には、ダイオード２１、２２、コンデンサ２３、２４、及び抵抗２５を含む倍電圧整流回路が接続されている。この倍電圧整流回路は昇圧トランス２０の２次巻線で発生する高周波高電圧を倍圧整流して直流高電圧としてマグネトロン６に印加する。
【００２３】
商用交流電源１０からの入力交流電流はカレントトランス１１及び入力検知部３０により検知され、検知結果はインバータ制御部３２に与えられる。また、入力電圧検出部３１は上述したインバータ回路へ印加される直流入力電圧を検出して、その検出結果をインバータ制御部３２に含まれるオン時間補正処理部３３へと送る。なお、入力電圧検出部３１で検出する入力電圧は、整流回路１２に印加される商用交流電源電圧を検出してもよい。
【００２４】
インバータ制御部３２は、機能ブロックとして、ユーザーにより操作・設定されるキー入力部３９１から与えられる指示に応じて誘導加熱か高周波加熱かを判定して切換えスイッチ３４を切り換える制御切換え部３５と、ユーザーの設定によってキー入力部３９１から与えられる出力設定値に従い、入力検知部３０で検知した入力電流値に応じてスイッチング素子１８をオン／オフさせるオン／オフ制御信号のオン時間を決定する出力制御部３６と、上記直流入力電圧に応じて、出力制御部３６で決定されたオン時間を補正するオン時間補正処理部３３と、出力制御部３６で決められた又はオン時間補正処理部３３で補正されたオン時間に基づいて且つＬＣ共振回路の共振周波数に近い周波数で以てＰＷＭ信号を生成するＰＷＭ制御部３７と、を含む。
【００２５】
制御切換え部３５は誘導加熱が設定されたときには切換えスイッチ３４を図３中のａ側に接続するから、出力制御部３６の出力であるオン時間制御信号が直接、ＰＷＭ制御部３７に供給される。一方、高周波加熱が設定されたときには切換えスイッチ３４をｂ側に接続するから、出力制御部３６の出力であるオン時間制御信号はオン時間補正処理部３３へと供給され、補正後のオン時間制御信号がオン時間補正処理部３３よりＰＷＭ制御部３７に供給される。オン時間制御信号に基づいてＰＷＭ制御部３７で生成されたＰＷＭ信号は、ＳＷ素子駆動部３８を経てスイッチング素子１８のベース端子に与えられる。即ち、このＰＷＭ制御部３７及びＳＷ素子駆動部３８が本発明におけるスイッチング素子駆動手段に相当する。
【００２６】
また、誘導加熱が選択されたとき切換えスイッチ１５はａ側に接続され、図４（ａ）に示すような、誘導加熱コイル５を含むインバータ回路の経路が形成される。一方、高周波加熱が設定されたときには切換えスイッチ１５がｂ側に接続され、図４（ｂ）に示すような、昇圧トランス２０の１次巻線２０１を含むインバータ回路の経路が形成される。いずれの場合にも、インバータ回路の基本的な構成は同じである。
【００２７】
例えば図４（ａ）に示すインバータ回路の動作は次のようになる。インバータ制御部３２の制御の下にスイッチング素子１８にオン信号が与えられてスイッチング素子１８が導通すると、左方の商用交流電源１０、整流回路１２を含む直流電源より誘導加熱コイル５を右方に向かう電流が供給され、これにより誘導加熱コイル５にはエネルギーが蓄積される。上記オン信号が終了してスイッチング素子１８が非導通状態になると、誘導加熱コイル５と第１共振コンデンサ１６との並列接続回路で共振動作が始まり、当初は誘導加熱コイル５を右方に向かう電流が流れ、その後、共振周波数に応じて電流の方向が反転する。スイッチング素子１８のコレクタ電圧が低下するとダイオード１９が導通して、左方の直流電源からダイオード１９の順方向に電流が流れ、誘導加熱コイル５を左方に電流が流れ、共振動作の１サイクルが終了する。こうした動作を繰り返し継続することによりインバータ回路を動作させ、商用の低周波交流電力を高周波電力に変換して誘導加熱コイル５に供給している。図４（ｂ）に示すインバータ回路の場合にも基本的な動作は同じである。
【００２８】
スイッチング素子１８に与えるオン信号の時間を長くすれば、インバータ回路の発振周波数が低下して出力は上昇し、逆に、オン時間を短くすればインバータ回路の発振周波数が上昇して出力は低下する。したがって、スイッチング素子１８に与えるオン／オフ制御信号のオン時間を調整することにより、インバータ回路の出力、つまり誘導加熱コイル５やマグネトロン６に供給する電力を調整することができる。
【００２９】
次に、図５に示すフローチャートに従って上記駆動電源回路における特徴的な制御について説明する。
インバータ制御部３２は加熱開始の指令を受けると、まずキー入力部３９１でのユーザーの設定が高周波加熱モードであるか否かを判定する（ステップＳ１）。高周波加熱モードである場合には、制御切換え部３５が切換えスイッチ３４をｂ側に接続させ、オン時間補正処理部３３は入力電圧検出部３１によりインバータ回路への直流入力電圧情報を取得する（ステップＳ２）。オン時間補正処理部３３はその入力電圧波形の位相に応じてスイッチング素子１８のオン時間の補正値を決定し（ステップＳ３）、出力制御部３６から送られてくるオン時間制御信号を補正することでオン時間を決定する（ステップＳ４）。具体的には、商用交流電源電圧がゼロ電圧付近であるとき（電圧が低下している期間）には、その低下度合に応じてオン時間を長くするような補正値を設定し、オン時間制御信号を補正してＰＷＭ制御部３７へと送る。
【００３０】
一方、高周波加熱モードでない場合、つまり誘導加熱モードである場合には、制御切換え部３５は切換えスイッチ３４をａ側に接続し、ステップＳ２、Ｓ３の処理をスキップしてステップＳ４へと進む。したがって、この場合には、直流入力電圧情報は取得されずオン時間補正処理部３３でのオン時間補正も実行されない。即ち、出力制御部３６において出力設定値に応じて決められたオン時間がそのまま採用されることになる。
【００３１】
したがって、高周波加熱モードである場合には直流入力電圧波形の位相（つまりは電圧低下の期間）を考慮してオン時間が決定され、誘導加熱モードである場合には直流入力電圧波形の位相とは無関係にオン時間が決定される。そして、ＰＷＭ制御部３７は決定されたオン時間に基づいてＰＷＭ信号を生成し、ＳＷ素子駆動部３８を介してオン／オフ制御信号としてスイッチング素子１８のベース端子に印加する（ステップＳ５）。これによりインバータ回路は上述したように動作するから、負荷である誘導加熱コイル５又はマグネトロン６に供給される入力電流が決まる（ステップＳ６）。そして、加熱終了であるか否かを判定し（ステップＳ７）、加熱を継続する場合にはステップＳ１へと戻ってインバータ回路の動作制御を継続する。加熱を終了する場合には、スイッチング素子１８の駆動を停止して動作を終了する（ステップＳ８）。
【００３２】
上述したように、高周波加熱モードでは入力電圧がゼロ付近であるとき（入力電圧低下時）にインバータ回路の出力が上昇するので、入力電流は図７（ｂ）に実線で示すような歪んだ波形とはならず点線で示すようにほぼ正弦波状となる。一方、誘導加熱モードではこうした補正は行われないので、入力電流は図７（ｃ）に実線で示すような歪んだ波形とはならず点線で示すようにほぼ正弦波状となる。いずれの場合にも入力電流の高調波成分は少なく、高調波ノイズは抑制される。
【００３３】
なお、上記実施例はいずれも本発明の一例にすぎず、本発明の趣旨の範囲で適宜、変形、修正又は追加などを行っても本発明に包含されることは明らかである。例えば、インバータ回路を含め図３に示した駆動電源回路の構成は、上記説明と同様の動作を達成するために適宜変形してもよい。また、図１、図２に示した複合加熱調理装置の構成も適宜変形できる。
【図面の簡単な説明】
【００３４】
【図１】本発明の一実施例による複合加熱調理装置の外観斜視図。
【図２】本実施例による複合加熱調理装置の概略側面縦断面図。
【図３】本実施例の複合加熱調理装置における駆動電源回路のブロック構成図。
【図４】図３の駆動電源回路において誘導加熱時及び高周波加熱時のそれぞれで形成されるインバータ回路の構成を示す図。
【図５】図３の駆動電源回路における制御動作を示すフローチャート。
【図６】従来技術による誘導加熱コイル及びマグネトロンの駆動電源回路を概略的に示す図。
【図７】駆動電源回路の要部の電圧／電流波形を示す図。
【符号の説明】
【００３５】
１…複合加熱調理装置
１０…商用交流電源
１１…カレントトランス
１２…ダイオードブリッジ整流回路
１３…チョークコイル
１４…平滑コンデンサ
１５…切換えスイッチ
１６…第１共振コンデンサ
１７…第２共振コンデンサ
１８…スイッチング素子
１９…ダイオード
２０…昇圧トランス
２０１…１次巻線
２０２、２０３…２次巻線
２１、２２…ダイオード
２３、２４…コンデンサ
２５…抵抗
３０…入力検知部
３１…入力電圧検出部
３２…インバータ制御部
３３…オン時間補正処理部
３４…切換えスイッチ
３５…制御切換え部
３６…出力制御部
３７…ＰＷＭ制御部
３８…ＳＷ素子駆動部
３９…操作部
３９１…キー入力部
３９２…表示部
５…誘導加熱コイル
６…マグネトロン
【図１】
2006179271.tif 000003
【図２】
2006179271.tif 000004
【図３】
2006179271.tif 000005
【図４】
2006179271.tif 000006
【図５】
2006179271.tif 000007
【図６】
2006179271.tif 000008
【図７】
2006179271.tif 000009